(57)【特許請求の範囲】
【請求項１】
濾材をプリコートするための濾過助剤として珪藻土を用い、プリコートされた濾材によって被濾過液中の懸濁成分を捕集するようにした珪藻土濾過機を具備し、プリコート時には珪藻土濾過機出口から珪藻土濾過機の下流側に排出された液を珪藻土濾過機の上流側に戻し、濾過時には珪藻土濾過機出口から珪藻土濾過機の下流側に排出された液を珪藻土濾過機の更に下流側に送るための流路切換え弁を珪藻土濾過機の下流側に配置した珪藻土濾過装置において、珪藻土濾過機出口と前記流路切換え弁との間に衝撃緩和用タンクを配置したことを特徴とする珪藻土濾過装置。
【請求項２】
濾材をプリコートするための濾過助剤として珪藻土を用い、プリコートされた濾材によって被濾過液中の懸濁成分を捕集するようにした珪藻土濾過機を具備する珪藻土濾過装置において、珪藻土濾過機出口から珪藻土濾過機の下流側に排出された液を珪藻土濾過機の更に下流側に送るためのポンプを珪藻土濾過機の下流側に配置し、珪藻土濾過機出口と前記ポンプとの間に衝撃緩和用タンクを配置したことを特徴とする珪藻土濾過装置。
【発明の詳細な説明】
【０００１】
【発明が属する技術分野】
本発明は珪藻土濾過装置に関する。
【０００２】
【従来の技術】
従来、濾材をプリコートするための濾過助剤として珪藻土を用い、プリコートされた濾材によって被濾過液中の懸濁成分を捕集するようにした珪藻土濾過機を具備し、プリコート時には珪藻土濾過機出口から珪藻土濾過機の下流側に排出された液を珪藻土濾過機の上流側に戻し、濾過時には珪藻土濾過機出口から珪藻土濾過機の下流側に排出された液を珪藻土濾過機の更に下流側に送るための流路切換え弁を珪藻土濾過機の下流側に配置した珪藻土濾過装置が知られている。この種の珪藻土濾過装置の例としては、例えば特開平４−１１９０８号公報に記載されたものがある。
【０００３】
特開平４−１１９０８号公報に記載された珪藻土濾過装置では、プリコート時に珪藻土濾過機出口から珪藻土濾過機の下流側に排出された液を珪藻土濾過機の上流側に戻す配管上に第一の流量調整弁が配置され、濾過時に珪藻土濾過機出口から珪藻土濾過機の下流側に排出された液を珪藻土濾過機の更に下流側に送る配管上に第二の流量調整弁が配置されている。つまり、特開平４−１１９０８号公報に記載された珪藻土濾過装置では、流路切換え弁が第一の流量調整弁と第二の流量調整弁とによって構成され、これらの二つの流量調整弁を通過する液の流量を調整することにより、珪藻土濾過機出口から珪藻土濾過機の下流側に排出された液の流路が切換えられている。
【０００４】
詳細には、特開平４−１１９０８号公報に記載された珪藻土濾過装置では、珪藻土濾過機の下流側に排出された液を珪藻土濾過機の上流側に戻すプリコート時から珪藻土濾過機の下流側に排出された液を珪藻土濾過機の更に下流側に送る濾過時に切換えられるときには、開弁されていた第一の流量調整弁が閉弁され、閉弁されていた第二の流量調整弁が開弁される。また、珪藻土濾過機の下流側に排出された液を珪藻土濾過機の更に下流側に送る濾過時から珪藻土濾過機の下流側に排出された液を珪藻土濾過機の上流側に戻すプリコート時に切換えられるときには、開弁されていた第二の流量調整弁が閉弁され、閉弁されていた第一の流量調整弁が開弁される。
【０００５】
【発明が解決しようとする課題】
ところで、プリコート時と濾過時との間で切換えが行われるときには、第一の流量調整弁及び第二の流量調整弁の両方が一時的に閉弁状態になってしまうか、あるいは、第一の流量調整弁及び第二の流量調整弁の両方が一時的に開弁状態になってしまう。つまり、第一の流量調整弁及び第二の流量調整弁を通過する液の合計流量が一時的に変動してしまう。その流量の変動に伴う衝撃が珪藻土濾過機内に伝わってしまうと、濾材をプリコートしている濾過助剤が乱れてしまい、その結果、珪藻土濾過機による濾過性能が低下してしまうおそれがある。
【０００６】
しかしながら、特開平４−１１９０８号公報に記載された珪藻土濾過装置には、流路切換え弁としての第一の流量調整弁及び第二の流量調整弁を通過する液の流量変動に伴う衝撃が珪藻土濾過機内に伝わるのを抑制する手段が設けられていない。そのため、特開平４−１１９０８号公報に記載された珪藻土濾過装置では、流路切換え弁を通過する液の流量変動に伴う衝撃が珪藻土濾過機内に伝わるのを抑制することができない。
【０００７】
また従来、濾材をプリコートするための濾過助剤として珪藻土を用い、プリコートされた濾材によって被濾過液中の懸濁成分を捕集するようにした珪藻土濾過機を具備する珪藻土濾過装置が知られている。この種の珪藻土濾過装置の例としては、例えば特開平４−１１９０８号公報に記載されたものがある。
【０００８】
ところが、特開平４−１１９０８号公報に記載された珪藻土濾過装置には、珪藻土濾過機に対して原液を供給するためのポンプが珪藻土濾過機の上流側に設けられているものの、珪藻土濾過機出口から珪藻土濾過機の下流側に排出された液を珪藻土濾過機の更に下流側に送るためのポンプが珪藻土濾過機の下流側に設けられていない。つまり、特開平４−１１９０８号公報には、珪藻土濾過機の下流側に配置されたポンプを通過する液の流量変動に伴う衝撃が珪藻土濾過機内に伝わるのを抑制する方法について開示されていない。そのため、特開平４−１１９０８号公報に記載された珪藻土濾過装置では、珪藻土濾過機の下流側に配置されたポンプを通過する液の流量変動に伴う衝撃が珪藻土濾過機内に伝わるのを抑制することができない。
【０００９】
前記問題点に鑑み、本発明は、珪藻土濾過機の下流側に配置された流路切換え弁を通過する液の流量変動に伴う衝撃が珪藻土濾過機内に伝わるのを抑制することができる珪藻土濾過装置を提供することを目的とする。
【００１０】
更に本発明は、珪藻土濾過機の下流側に配置されたポンプを通過する液の流量変動に伴う衝撃が珪藻土濾過機内に伝わるのを抑制することができる珪藻土濾過装置を提供することを目的とする。
【００１１】
【課題を解決するための手段】
請求項１に記載の発明によれば、濾材をプリコートするための濾過助剤として珪藻土を用い、プリコートされた濾材によって被濾過液中の懸濁成分を捕集するようにした珪藻土濾過機を具備し、プリコート時には珪藻土濾過機出口から珪藻土濾過機の下流側に排出された液を珪藻土濾過機の上流側に戻し、濾過時には珪藻土濾過機出口から珪藻土濾過機の下流側に排出された液を珪藻土濾過機の更に下流側に送るための流路切換え弁を珪藻土濾過機の下流側に配置した珪藻土濾過装置において、珪藻土濾過機出口と前記流路切換え弁との間に衝撃緩和用タンクを配置したことを特徴とする珪藻土濾過装置が提供される。
【００１２】
請求項１に記載の珪藻土濾過装置では、珪藻土濾過機出口と珪藻土濾過機の下流側に配置された流路切換え弁との間に衝撃緩和用タンクが配置されている。そのため、流路の切換えに伴って流路切換え弁を通過する液の流量が一時的に変動しても、その変動に伴う衝撃が衝撃緩和用タンクによって吸収される。つまり、珪藻土濾過機の下流側に配置された流路切換え弁を通過する液の流量変動に伴う衝撃が珪藻土濾過機内に伝わるのを衝撃緩和用タンクによって抑制することができる。その結果、流路切換え弁を通過する液の流量変動に伴う衝撃によって濾過助剤が乱れて濾過性能が低下してしまうのを抑制することができる。
【００１３】
請求項２に記載の発明によれば、濾材をプリコートするための濾過助剤として珪藻土を用い、プリコートされた濾材によって被濾過液中の懸濁成分を捕集するようにした珪藻土濾過機を具備する珪藻土濾過装置において、珪藻土濾過機出口から珪藻土濾過機の下流側に排出された液を珪藻土濾過機の更に下流側に送るためのポンプを珪藻土濾過機の下流側に配置し、珪藻土濾過機出口と前記ポンプとの間に衝撃緩和用タンクを配置したことを特徴とする珪藻土濾過装置が提供される。
【００１４】
請求項２に記載の珪藻土濾過装置では、珪藻土濾過機出口と珪藻土濾過機の下流側に配置されたポンプとの間に衝撃緩和用タンクが配置されている。そのため、ポンプの作動状態の変更に伴ってポンプを通過する液の流量が一時的に変動しても、その変動に伴う衝撃が衝撃緩和用タンクによって吸収される。つまり、珪藻土濾過機の下流側に配置されたポンプを通過する液の流量変動に伴う衝撃が珪藻土濾過機内に伝わるのを衝撃緩和用タンクによって抑制することができる。その結果、ポンプを通過する液の流量変動に伴う衝撃によって濾過助剤が乱れて濾過性能が低下してしまうのを抑制することができる。
【００１５】
【発明の実施の形態】
以下、添付図面を用いて本発明の実施形態について説明する。
【００１６】
図１は本発明の珪藻土濾過装置の一実施形態を示した概略構成図、図２は図１に示した珪藻土濾過機の拡大図である。詳細には、図１は珪藻土濾過機のプリコート時における珪藻土濾過装置を示しており、図２はその時の珪藻土濾過機の拡大図である。図１及び図２において、１は濃縮茶用タンク、２は珪藻土含有液用タンク、３は濃縮茶と珪藻土含有液とを混合するための混合用タンク、４は珪藻土濾過機である。５は珪藻土濾過機にかかる衝撃を緩和するための衝撃緩和用タンク、６は珪藻土濾過機の第一入口、７は珪藻土濾過機の第二入口、８は珪藻土濾過機４から清澄液を排出するための清澄液用出口である。９，１０，１１は三方弁、１２は絞り弁、１３は濃縮茶用タンク１と混合用タンク３とを連結するための配管、１４は珪藻土含有液用タンク２と混合用タンク３とを連結するための配管である。
【００１７】
１５は混合用タンク３と三方弁９とを連結するための配管、１６は三方弁９と第一入口６とを連結するための配管、１７は三方弁９と三方弁１０とを連結するための配管、１８は三方弁１０と第二入口７とを連結するための配管である。１９は三方弁１０と混合用タンク３とを連結するための配管である。図１に詳細に示すように、珪藻土濾過機のプリコート時には、この配管１９は使用されない。２０は清澄液用出口８と絞り弁１２とを連結するための配管、２１は絞り弁１２と衝撃緩和用タンク５とを連結するための配管、２２は衝撃緩和用タンク５と三方弁１１とを連結するための配管、２３は三方弁１１と混合用タンク３とを連結するための配管である。２４は三方弁１１と、茶飲料としての清澄液を製品用容器に充填する製品用容器充填ユニット（図示せず）とを連結するための配管である。図１に詳細に示すように、珪藻土濾過機のプリコート時には、この配管２４も使用されない。
【００１８】
２５はタンク１内の濃縮茶を混合用タンク３に供給するために配管１３上に配置されたポンプ、２６はタンク２内の珪藻土含有液を混合用タンク３に供給するために配管１４上に配置されたポンプである。２７は混合用タンク３内の液を珪藻土濾過機４に供給するために配管１５上に配置されたポンプ、２８は衝撃緩和用タンク５内の液を混合用タンク３まで戻したり、衝撃緩和用タンク５内の液を製品用容器充填ユニットまで送ったりするために配管２２上に配置されたポンプである。２９は配管１９内の流量を調整するために配管１９上に配置された流量調整弁である。３０は珪藻土濾過機４内に配置された濾材である。
【００１９】
図１及び図２に示すように、タンク１には、珪藻土濾過機４において濾過すべき被濾過液としての濃縮茶が含まれている。また、タンク２には、珪藻土濾過機４内の濾材３０をプリコートするための濾過助剤としての珪藻土が含まれている。タンク１から供給された濃縮茶と、タンク２から供給された珪藻土含有液とがタンク３において混合されると、濃縮茶中の通常「おり」と呼ばれる懸濁成分が珪藻土によって捕集される。
【００２０】
図１に詳細に示すように、珪藻土濾過機のプリコート時においては、混合用タンク３から供給された液の一部が第一入口６を介して珪藻土濾過機４に供給され、混合用タンク３から供給された液の残りの一部が第二入口７を介して珪藻土濾過機４に供給されるように、三方弁９が設定されている。また、三方弁１０は、混合用タンク３から三方弁９を介して供給された液のすべてが第二入口７を介して珪藻土濾過機４に供給されるように、設定されている。つまり、上述したように、珪藻土濾過機のプリコート時には、配管１９は使用されない。すなわち、配管１９内の流量はゼロである。
【００２１】
図２に詳細に示すように、第一入口６及び第二入口７を介して珪藻土濾過機４内に流入した液のすべては、濾材３０を通過し、出口８を介して配管２０に排出される。液が濾材３０を通過する時、液に含まれていた濾過助剤としての珪藻土が濾材３０上に堆積し、濾材３０が珪藻土によってプリコートされる。
【００２２】
図１に詳細に示すように、出口８から排出された液は、配管２０、絞り弁１２及び配管２１を介してタンク５に送られる。次いで、タンク５内の液は配管２２を介して三方弁１１に送られる。珪藻土濾過機のプリコート時には、三方弁１１に送られた液のすべてが配管２３を介して混合用タンク３まで戻されるように、三方弁１１が設定されている。つまり、上述したように、珪藻土濾過機のプリコート時には、配管２４は使用されない。すなわち、配管２４内の流量はゼロである。
【００２３】
配管２２上にはポンプ２８が配置されているため、配管２２内のうちポンプ２８よりも上流側（図１の左側）の部分は負圧になってしまう。しかしながら、配管２１と配管２２との間には配管２２内の負圧を解放するためのタンク５が配置されているため、配管２０，２１内は負圧にならず、ゼロ圧（厳密には大気圧）に維持される。その結果、出口８からは、ポンプ２８の作動に関係なく、液が安定して排出される。
【００２４】
つまり、出口８とポンプ２８との間に衝撃吸収部としてのタンク５が配置されているため、配管２２内のうちポンプ２８よりも上流側（図１の左側）の部分がポンプ２８によって負圧になっても、その負圧がタンク５によって吸収される。つまり、珪藻土濾過機４内の濾材３０を通過する液が負圧によって必要以上に吸引されてしまうのを抑制することができる。その結果、珪藻土濾過機４内の濾材３０を通過する液が必要以上に吸引されるのに伴って濾過助剤が乱れて濾過性能が低下してしまうのを抑制することができる。
【００２５】
また、珪藻土濾過機のプリコート時（図１及び図２参照）から後述する珪藻土濾過機の濾過時に切り換わるとき、あるいは、珪藻土濾過機の濾過時から珪藻土濾過機のプリコート時（図１及び図２参照）に切り換わるときには、三方弁１１の設定が切り換えられ、その衝撃が配管２２内に伝わってしまう。しかしながら、その衝撃は、衝撃緩和用タンク５によって緩和され、配管２０，２１内まで伝わらない。その結果、出口８からは、三方弁１１の設定の切換えに関係なく、液が安定して排出される。
【００２６】
つまり、出口８と珪藻土濾過機４の下流側に配置された三方弁１１との間に衝撃吸収部としてのタンク５が配置されているため、三方弁１１を通過する液の流量が一時的に変動しても、その変動に伴う衝撃がタンク５によって吸収される。つまり、珪藻土濾過機４の下流側に配置された三方弁１１を通過する液の流量変動に伴う衝撃が珪藻土濾過機４内に伝わるのをタンク５によって抑制することができる。その結果、三方弁１１を通過する液の流量変動に伴う衝撃によって濾過助剤が乱れて濾過性能が低下してしまうのを抑制することができる。
【００２７】
配管２３を介して混合用タンク３まで戻された液は、混合用タンク３内において、タンク２から供給された珪藻土含有液と混合され、珪藻土濾過機４内の濾材３０をプリコートするために再び珪藻土濾過機４に供給される。
【００２８】
詳細には説明しないが、珪藻土によって濾材３０をプリコートする前に、セルロースパウダーによって濾材３０をプリコートするのが好ましい。また、上述した実施形態では、濾材３０をプリコートするために茶が用いられているが、他の実施形態では、茶の代わりに水を用いて濾材３０をプリコートするのが好ましい。
【００２９】
図３は珪藻土濾過機の濾過時における図１に示した珪藻土濾過装置の概略構成図、図４は濾過時における珪藻土濾過機の拡大図である。図３及び図４に示すように、珪藻土濾過機の濾過時においても、タンク１から供給された濃縮茶と、タンク２から供給された珪藻土含有液とがタンク３において混合され、その混合された液が被濾過液とされる。珪藻土濾過機の濾過時においては、混合用タンク３から供給された被濾過液のすべてが第一入口６を介して珪藻土濾過機４に供給されるように、三方弁９が設定されている。つまり、珪藻土濾過機の濾過時には、配管１７は使用されない。すなわち、配管１７内の流量はゼロである。
【００３０】
図４に詳細に示すように、第一入口６を介して珪藻土濾過機４内に流入した被濾過液の一部は、濾材３０を通過し、出口８を介して配管２０に清澄液として排出される。また、第一入口６を介して珪藻土濾過機４内に流入した被濾過液の残りの一部は、濾材３０を通過することなく、珪藻土濾過機４内における濾材３０の上流側を移動する。次いで、珪藻土濾過機のプリコート時（図１及び図２参照）には第二入口７として使用されていた開口を介して配管１８に余剰被濾過液として排出される。つまり、珪藻土濾過機のプリコート時（図１及び図２参照）に第二入口７として使用された開口は、珪藻土濾過機の濾過時には、入口６を介して供給された被濾過液のうち濾材３０を通過しない余剰被濾過液を排出するための余剰被濾過液用出口として使用される。
【００３１】
図４に詳細に示すように、入口６を介して供給された被濾過液が濾材３０を通過する時、その被濾過液中に含まれる懸濁成分（「おり」）は、珪藻土濾過機のプリコート時（図２参照）に濾材３０上にプリコートされた珪藻土によって捕集される。また、珪藻土含有液用タンク２から供給され、混合用タンク３において濃縮茶中の懸濁成分を捕集した珪藻土も、被濾過液が濾材３０を通過する時に濾材３０によって捕集される。すなわち、珪藻土濾過機の濾過時に濾材３０を通過した清澄液中には、珪藻土及び濃縮茶中の懸濁成分がほとんど含まれなくなっている。
【００３２】
図３に詳細に示すように、珪藻土濾過機のプリコート時（図１及び図２参照）に第二入口７として使用されていた開口（余剰被濾過液用出口）から排出された余剰被濾過液は、配管１８を介して三方弁１０に送られる。三方弁１０は、その開口（余剰被濾過液用出口）から排出された余剰被濾過液のすべてが配管１９を介して混合用タンク３に戻されるように、設定されている。つまり、上述したように、珪藻土濾過機の濾過時には、配管１７は使用されない。すなわち、配管１７内の流量はゼロである。
【００３３】
一方、出口８から排出された清澄液は、配管２０、絞り弁１２及び配管２１を介してタンク５に送られる。次いで、タンク５内の清澄液は配管２２を介して三方弁１１に送られる。珪藻土濾過機の濾過時には、三方弁１１に送られた液のすべてが配管２４に送られるように、三方弁１１が設定されている。つまり、珪藻土濾過機の濾過時には、配管２３は使用されない。すなわち、配管２３内の流量はゼロである。
【００３４】
上述したように、配管２２にはポンプ２８が配置されているため、配管２２内のうちポンプ２８よりも上流側（図３の左側）の部分は負圧になってしまう。しかしながら、配管２１と配管２２との間には配管２２内の負圧を解放するためのタンク５が配置されているため、配管２０，２１内は負圧にならず、ゼロ圧（厳密には大気圧）に維持される。その結果、出口８からは、ポンプ２８の作動に関係なく、清澄液が安定して排出される。
【００３５】
つまり、出口８とポンプ２８との間に衝撃吸収部としてのタンク５が配置されているため、配管２２内のうちポンプ２８よりも上流側（図３の左側）の部分がポンプ２８によって負圧になっても、その負圧がタンク５によって吸収される。つまり、珪藻土濾過機４内の濾材３０を通過する液が負圧によって必要以上に吸引されてしまうのを抑制することができる。その結果、珪藻土濾過機４内の濾材３０を通過する液が必要以上に吸引されるのに伴って濾過助剤が乱れて濾過性能が低下してしまうのを抑制することができる。
【００３６】
また、上述したように、珪藻土濾過機のプリコート時（図１及び図２参照）から珪藻土濾過機の濾過時（図３及び図４参照）に切り換わるとき、あるいは、珪藻土濾過機の濾過時（図３及び図４参照）から珪藻土濾過機のプリコート時（図１及び図２参照）に切り換わるときには、三方弁１１の設定が切り換えられ、その衝撃が配管２２内に伝わってしまう。しかしながら、その衝撃は、衝撃緩和用タンク５によって緩和され、配管２０，２１内まで伝わらない。その結果、出口８からは、三方弁１１の設定の切換えに関係なく、清澄液が安定して排出される。
【００３７】
つまり、出口８と珪藻土濾過機４の下流側に配置された三方弁１１との間に衝撃吸収部としてのタンク５が配置されているため、三方弁１１を通過する液の流量が一時的に変動しても、その変動に伴う衝撃がタンク５によって吸収される。つまり、珪藻土濾過機４の下流側に配置された三方弁１１を通過する液の流量変動に伴う衝撃が珪藻土濾過機４内に伝わるのをタンク５によって抑制することができる。その結果、三方弁１１を通過する液の流量変動に伴う衝撃によって濾過助剤が乱れて濾過性能が低下してしまうのを抑制することができる。
【００３８】
図３に詳細に示すように、配管２０，２１，２２，２４を介して製品用容器充填ユニット（図示せず）に送られる清澄液の流量は絞り弁１２によって定められる。つまり、本実施形態では、単位時間当たり１０ｍ３濾過処理が可能な珪藻土濾過機４が使用され、その珪藻土濾過機４の下流側に絞り弁１２が配置され、絞り弁１２を介して排出される清澄液の流量が単位時間当たり４ｍ３になるように絞り弁１２を絞った状態で濾過処理が実行される。
【００３９】
詳細には、配管２０，２１，２２，２４を介して製品用容器充填ユニット（図示せず）に送られる清澄液の目標流量が、絞り弁１２によって予め定められる。次いで、濾過時に、清澄液の実際の流量が目標流量と異なる場合には、清澄液の流量の微調整が行われる。この微調整を絞り弁１２によって行うと、配管２０内の圧力が変動し、珪藻土濾過機４内の濾材３０に悪影響が及ぶおそれが生じてしまう点に鑑み、本実施形態では、清澄液の実際の流量を目標流量に一致させるための微調整が、配管１９上に配置された流量調整弁２９によって行われる。具体的には、配管２０，２１，２２，２４を介して製品用容器充填ユニット（図示せず）に送られる清澄液の流量を減少させる場合には、流量調整弁２９の開度が増加せしめられる。一方、清澄液の流量を増加させる場合には、流量調整弁２９の開度が減少せしめられる。このように流量調整弁２９によって清澄液の流量調整を行う場合には、絞り弁１２によって清澄液の流量調整を行う場合よりも、配管２０内の圧力変動を抑制し、珪藻土濾過機４内の濾材３０に及ぶ悪影響を抑制することができる。
【００４０】
以下、上述した本実施形態の珪藻土濾過装置と従来の珪藻土濾過装置との相違点を明確にするために、従来の珪藻土濾過装置について説明する。図５は特開平４−１１９０８号公報に記載された従来の珪藻土濾過装置における珪藻土濾過機のプリコート時を示した図である。図５に示すように、特開平４−１１９０８号公報に記載された珪藻土濾過装置においては、珪藻土濾過機のプリコート時に、入口１０６を介して珪藻土濾過機１０４内に供給された液は、濾材１３０を通過し、第一出口１０８を介して排出される。液が濾材１３０を通過する時に、液に含有される濾過助剤によって濾材１３０がプリコートされる。特開平４−１１９０８号公報に記載された珪藻土濾過装置では、珪藻土濾過機のプリコート時に、入口１０６を介して珪藻土濾過機１０４内に供給された液の一部が濾材１３０を通過することなく第二出口１０７を介して排出されるように制御することも可能である。
【００４１】
図６は特開平４−１１９０８号公報に記載された従来の珪藻土濾過装置における珪藻土濾過機の濾過時を示した図である。図６に示すように、特開平４−１１９０８号公報に記載された珪藻土濾過装置においては、珪藻土濾過機の濾過時に、入口１０６を介して珪藻土濾過機１０４内に供給された被濾過液は、濾材１３０を通過し、清澄液として第一出口１０８から排出される。被濾過液が濾材１３０を通過する時、濾過助剤によってプリコートされた濾材により、被濾過液中の懸濁成分が捕集される。特開平４−１１９０８号公報に記載された珪藻土濾過装置では、珪藻土濾過機の濾過時に、入口１０６を介して珪藻土濾過機１０４内に供給された被濾過液のすべてが第一出口１０８から排出され、第二出口１０７は使用されない。つまり、特開平４−１１９０８号公報に記載された珪藻土濾過装置では、余剰被濾過液として第二出口１０７から排出される液の流量はゼロである。
【００４２】
図５及び図６には示していないが、特開平４−１１９０８号公報に記載された珪藻土濾過装置では、プリコート時に出口１０８から珪藻土濾過機１０４の下流側に排出された液を珪藻土濾過機１０４の上流側（つまり、入口１０６の側）に戻す配管上に第一の流量調整弁が配置され、濾過時に出口１０８から珪藻土濾過機１０４の下流側に排出された液を珪藻土濾過機１０４の更に下流側に送る配管上に第二の流量調整弁が配置されている。つまり、特開平４−１１９０８号公報に記載された珪藻土濾過装置では、これらの二つの流量調整弁を通過する液の流量を調整することにより、出口１０８から珪藻土濾過機１０４の下流側に排出された液の流路が切換えられている。
【００４３】
詳細には、特開平４−１１９０８号公報に記載された珪藻土濾過装置では、珪藻土濾過機１０４の下流側に排出された液を珪藻土濾過機１０４の上流側に戻すプリコート時から珪藻土濾過機１０４の下流側に排出された液を珪藻土濾過機１０４の更に下流側に送る濾過時に切換えられるときには、開弁されていた第一の流量調整弁が閉弁され、閉弁されていた第二の流量調整弁が開弁される。また、珪藻土濾過機１０４の下流側に排出された液を珪藻土濾過機１０４の更に下流側に送る濾過時から珪藻土濾過機１０４の下流側に排出された液を珪藻土濾過機１０４の上流側に戻すプリコート時に切換えられるときには、開弁されていた第二の流量調整弁が閉弁され、閉弁されていた第一の流量調整弁が開弁される。
【００４４】
プリコート時と濾過時との間で切換えが行われるときには、第一の流量調整弁及び第二の流量調整弁の両方が一時的に閉弁状態になってしまうか、あるいは、第一の流量調整弁及び第二の流量調整弁の両方が一時的に開弁状態になってしまう。つまり、第一の流量調整弁及び第二の流量調整弁を通過する液の合計流量が一時的に変動してしまう。その流量の変動に伴う衝撃が珪藻土濾過機１０４内に伝わってしまうと、濾材１３０をプリコートしている濾過助剤が乱れてしまい、その結果、珪藻土濾過機１０４による濾過性能が低下してしまうおそれがある。
【００４５】
しかしながら、特開平４−１１９０８号公報に記載された珪藻土濾過装置には、第一の流量調整弁及び第二の流量調整弁を通過する液の流量変動に伴う衝撃が珪藻土濾過機１０４内に伝わるのを抑制する手段が設けられていない。そのため、特開平４−１１９０８号公報に記載された珪藻土濾過装置では、第一の流量調整弁及び第二の流量調整弁を通過する液の流量変動に伴う衝撃が珪藻土濾過機１０４内に伝わるのを抑制することができない。
【００４６】
【発明の効果】
請求項１に記載の発明によれば、流路切換え弁を通過する液の流量が一時的に変動しても、その変動に伴う衝撃が衝撃緩和用タンクによって吸収される。つまり、珪藻土濾過機の下流側に配置された流路切換え弁を通過する液の流量変動に伴う衝撃が珪藻土濾過機内に伝わるのを衝撃緩和用タンクによって抑制することができる。その結果、流路切換え弁を通過する液の流量変動に伴う衝撃によって濾過助剤が乱れて濾過性能が低下してしまうのを抑制することができる。
【００４７】
請求項２に記載の発明によれば、ポンプの作動状態の変更に伴ってポンプを通過する液の流量が一時的に変動しても、その変動に伴う衝撃が衝撃緩和用タンクによって吸収される。つまり、珪藻土濾過機の下流側に配置されたポンプを通過する液の流量変動に伴う衝撃が珪藻土濾過機内に伝わるのを衝撃緩和用タンクによって抑制することができる。その結果、ポンプを通過する液の流量変動に伴う衝撃によって濾過助剤が乱れて濾過性能が低下してしまうのを抑制することができる。
【図面の簡単な説明】
【図１】本発明の珪藻土濾過装置の一実施形態を示した概略構成図である。
【図２】図１に示した珪藻土濾過機の拡大図である。
【図３】珪藻土濾過機の濾過時における図１に示した珪藻土濾過装置の概略構成図である。
【図４】濾過時における珪藻土濾過機の拡大図である。
【図５】特開平４−１１９０８号公報に記載された従来の珪藻土濾過装置における珪藻土濾過機のプリコート時を示した図である。
【図６】特開平４−１１９０８号公報に記載された従来の珪藻土濾過装置における珪藻土濾過機の濾過時を示した図である。
【符号の説明】
４    珪藻土濾過機
５    タンク
８    出口
１１  三方弁
２０，２１，２２，２３  配管
２８  ポンプ
３０  濾材
【図１】
0004194650.tif 000002
【図２】
0004194650.tif 000003
【図３】
0004194650.tif 000004
【図４】
0004194650.tif 000005
【図５】
0004194650.tif 000006
【図６】
0004194650.tif 000007